(57)【特許請求の範囲】
【請求項１】
室外機と、複数台の室内機と、前記室外機と複数台の前記室内機が冷媒配管で接続された冷媒回路を有する空気調和装置であって、
複数台の前記室内機は室内熱交換器を有し、
前記室外機は、圧縮機と、四方弁と、室外熱交換器と、前記室内機の台数と同じ数だけ設けられる膨張弁と、前記室内機の台数と同じ数だけ設けられ暖房運転時に前記室内機の前記室内熱交換器から流出する冷媒の温度である液側冷媒温度を検出する液側温度検出手段を有し、
前記空気調和装置が暖房運転を行っているときに運転室内機と停止室内機が混在する場合に、
前記圧縮機から吐出される冷媒温度である吐出温度が目標吐出温度となるように前記運転室内機に対応する膨張弁の開度を調整する目標吐出温度制御を行う一方、
前記停止室内機の液側温度検出手段で検出した液側冷媒温度が所定温度となるように前記停止室内機に対応する膨張弁の開度を調整する停止室内機液温度調整制御を実行し、
前記停止室内機液温度調整制御において前記停止室内機に対応する膨張弁の開度を大きくする場合は、前記停止室内機の前記室内熱交換器の冷媒出口側における冷媒過冷却度が予め定められた閾冷媒過冷却度より大きい前記停止室内機に対応する膨張弁の開度を大きくする制御手段を有する、
ことを特徴とする空気調和装置。
【請求項２】
前記所定温度は、運転室内機の液側温度検出手段で検出した液側冷媒温度の平均値である、
ことを特徴とする請求項１に記載の空気調和装置。
【発明の詳細な説明】
【技術分野】
【０００１】
本発明は、室外機に複数台の室内機が冷媒配管で接続された空気調和装置に関する。
【背景技術】
【０００２】
従来、空気調和装置としては、１台の室外機に複数台の室内機が液管およびガス管で接続され、複数台の室内機で同時に冷房運転あるいは暖房運転を行うことが可能であるものが知られている。このような空気調和装置の室外機には、室内機の台数と同数の膨張弁が設けられており、各室内機に対応する膨張弁の開度を調整することによって、各室内機における冷媒流量を調整できるようになっている。
【０００３】
上記のような空気調和装置で暖房運転を行っているときに、サーモオフとなっている室内機や運転を停止している室内機（以降、個別に言及する必要のある場合を除き、これらを停止室内機と記載する）がある場合、停止室内機に対応する膨張弁の開度を全閉とすると、停止室内機の室内熱交換器に冷媒や冷凍機油が溜まり込む恐れがある。このような問題を解決するために、通常は停止室内機に対応する膨張弁を微少開度とし、微少量の冷媒が停止室内機を流れるようにすることで、冷媒や冷凍機油の滞留を防いでいる。
【０００４】
一般的には、膨張弁の開度を微少開度とするときはその開度精度にバラツキがある場合が多く、想定している開度より大きな開度となっている場合もある。この場合、停止室内機に多くの冷媒が流れて冷媒流動音も大きくなる。停止室内機では室内ファンが停止しており室内ファンの駆動時に発生する騒音がないため、上記の冷媒流動音が問題となる場合がある。
【０００５】
上記の問題を解決するために、特許文献１に記載の空気調和装置では、膨張弁に並列に逆止弁とキャピラリーチューブを接続し、停止室内機では対応する膨張弁開度を全閉としている。これにより、停止室内機では、逆止弁とキャピラリーチューブを介して冷媒を流すことで、冷媒流動音を最小限に抑えつつ室内熱交換器に冷媒や冷凍機油が溜まり込むことを防いでいる。
【先行技術文献】
【特許文献】
【０００６】
【特許文献１】特開平７−３１０９６２号公報
【発明の概要】
【発明が解決しようとする課題】
【０００７】
ところで、空気調和装置で暖房運転を行っているときは、運転している室内機（以降、運転室内機と記載する）に対応する膨張弁の開度を、圧縮機から吐出される冷媒温度である吐出温度が目標値（以降、目標吐出温度と記載する）となるように一律に調整する目標吐出温度制御が行われる。ここで目標吐出温度は、例えば、凝縮器として機能する室内熱交換器における凝縮温度と、蒸発器として機能する室外熱交換器における蒸発温度と、空気調和装置の冷媒循環量に関係する圧縮機の回転数を用いて算出することができる。
【０００８】
前述したように、目標吐出温度制御では運転室内機に対応する各膨張弁の開度が一律に調整される。このとき、各室内機の空調能力が異なる場合や、各室内機の空調能力が同じであっても室内ファンの回転数が異なるつまり室内熱交換器での熱交換量が異なる場合は、運転室内機で冷媒流量に偏りが生じこれに起因して各室内機の室内熱交換器から流出する冷媒の温度である液管冷媒温度がバラつく恐れがある。液管冷媒温度がバラつくと圧縮機に吸入される冷媒温度が変動しこれに起因して吐出温度も変動して目標吐出温度制御が不安定となる。そこで、目標吐出温度制御を安定させるために、例えば、運転室内機の液管冷媒温度の平均値を算出し、停止室内機も含めて全ての室内機で液管冷媒温度が算出した平均値となるように各膨張弁開度を調整することで、全ての液管冷媒温度を同じ温度とすることが考えられる。
【０００９】
以上説明した、停止室内機も含めて全ての室内機で液管冷媒温度が算出した平均値となるように各膨張弁開度を調整するときに、例えば、停止室内機のうちのいくつかが起動した場合のように、暖房負荷が急激に上昇すれば冷媒循環量が過渡的に不足する恐れがある。そして、冷媒循環量が過渡的に不足しているときは、運転室内機および停止室内機の室内熱交換器における凝縮圧力が過渡的に低下しこれに起因して各室内熱交換器の冷媒出口側における冷媒過冷却度が小さくなる。このときに、液管冷媒温度を同じ温度とするために停止室内機に対応する膨張弁開度を大きくすれば、気液二相状態の冷媒が当該室内機を流れて冷媒流動音が目立って使用者に不快感を与える恐れがあった。
【００１０】
本発明は以上述べた問題点を解決するものであって、暖房運転時の停止室内機で発生する冷媒流動音を低減する空気調和装置を提供することを目的とする。
【課題を解決するための手段】
【００１１】
上記の課題を解決するために、本発明の空気調和装置は、室外機と、複数台の室内機と、室外機と複数台の室内機が冷媒配管で接続された冷媒回路を有する。複数台の前記室内機は室内熱交換器を有する。室外機は、圧縮機と四方弁と室外熱交換器と室内機の台数と同じ数だけ設けられる膨張弁と室内機の台数と同じ数だけ設けられ暖房運転時に前記室内機の前記室内熱交換器から流出する冷媒の温度である液側冷媒温度を検出する液側温度検出手段を有する。そして、空気調和装置が暖房運転を行っているときに運転室内機と停止室内機が混在する場合に、圧縮機から吐出される冷媒温度である吐出温度が目標吐出温度となるように運転室内機に対応する膨張弁の開度を調整する目標吐出温度制御を行う一方、停止室内機の液側温度検出手段で検出した液側冷媒温度が所定温度となるように停止室内機に対応する膨張弁の開度を調整する停止室内機液温度調整制御を実行し、停止室内機液温度調整制御において停止室内機に対応する膨張弁の開度を大きくする場合は、停止室内機の室内熱交換器の冷媒出口側における冷媒過冷却度が予め定められた閾冷媒過冷却度より大きい停止室内機に対応する膨張弁の開度を大きくする制御手段を有する。
【発明の効果】
【００１２】
上記のように構成した本発明の空気調和装置は、停止室内機液温度調整制御において停止室内機を気液二相冷媒が流れる恐れがない場合に、当該室内機に対応する膨張弁開度を大きくする制御手段を有する。これにより、気液二相冷媒の冷媒流動音に起因する使用者の不快感を減少させることができる。
【図面の簡単な説明】
【００１３】
【図１】本発明の実施形態である空気調和装置の説明図であり、（Ａ）が冷媒回路図、（Ｂ）が室外機制御手段のブロック図である。
【図２】本発明の実施形態における、室外機制御手段が行う処理のメインルーチンである。
【図３】本発明の実施形態における、室外機制御手段が行う処理のサブルーチンであり、運転室内機の分流調整に関わる処理を示すものである。
【図４】本発明の実施形態における、室外機制御手段が行う処理のサブルーチンであり、停止室内機の分流調整に関わる処理を示すものである。
【発明を実施するための形態】
【００１４】
以下、本発明の実施の形態を、添付図面に基づいて詳細に説明する。実施形態としては、１台の室外機に複数台の室内機が冷媒配管で並列に接続され、全ての室内機で同時に冷房運転あるいは暖房運転が行える空気調和装置を例に挙げて説明する。尚、本発明は以下の実施形態に限定されることはなく、本発明の主旨を逸脱しない範囲で種々変形することが可能である。
【実施例】
【００１５】
図１（Ａ）に示すように、本実施形態における空気調和装置１は、１台の室外機２に６台の室内機５が、室内機５の台数と同じ６本の液管８および６本のガス管９で並列に接続されている。具体的には、６本の液管８の各々の一端と室外機２に設けられる６個の液側閉鎖弁２７が接続され、６本の液管８の各々の他端と６台の室内機５の液管接続部５２が接続されている。また、６本のガス管９の各々の一端と室外機２に設けられる６個のガス側閉鎖弁２８が接続され、６本のガス管９の各々の他端と６台の室内機５のガス管接続部５３が接続されている。このように、室外機２と６台の室内機５が６本の液管８および６本のガス管９で接続されて、空気調和装置１の冷媒回路１０が構成されている。尚、図１（Ａ）では、６台の室内機５、６本の液管８、６本のガス管９、６個の液側閉鎖弁２７、および、６個のガス側閉鎖弁２８については、各々３つのみ描画している。
【００１６】
室外機２は、圧縮機２１と、四方弁２２と、室外熱交換器２３と、６個の膨張弁２４と、アキュムレータ２５と、室外ファン２６と、上述した６個の液側閉鎖弁２７および６個のガス側閉鎖弁２８と、室外機制御手段２００を備えている。そして、室外ファン２６および室外機制御手段２００を除くこれら各装置が、以下で詳述する各冷媒配管で相互に接続されて、冷媒回路１０の一部をなす室外機冷媒回路２０を構成している。尚、図１（Ａ）では、６個の膨張弁２４は３個のみ描画している。
【００１７】
圧縮機２１は、インバータにより回転数が制御される図示しないモータによって駆動されることで運転容量を可変できる能力可変型圧縮機である。圧縮機２１の冷媒吐出口と四方弁２２のポートａが吐出管４１で接続されている。また、圧縮機２１の冷媒吸入側とアキュムレータ２５の冷媒流出側が吸入管４２で接続されている。
【００１８】
四方弁２２は、冷媒の流れる方向を切り換えるための弁であり、ａ、ｂ、ｃ、ｄの４つのポートを備えている。上述したように、ポートａと圧縮機２１の冷媒吐出口が吐出管４１で接続されている。ポートｂと室外熱交換器２３の一方の冷媒出入口が冷媒配管４３で接続されている。ポートｃとアキュムレータ２５の冷媒流入側が冷媒配管４６で接続されている。そして、ポートｄには室外機ガス管４５の一端が接続されている。室外機ガス管４５の他端には、６本の室外機ガス分管４５ａ（図１（Ａ）では、このうち３本を描画）の各々の一端が接続されており、６本の室外機ガス分管４５ａの各々の他端は、６個のガス側閉鎖弁２８に接続されている。
【００１９】
室外熱交換器２３は、室外ファン２６の回転により図示しない吸込口から室外機２の内部に取り込まれた外気と冷媒を熱交換させる。上述したように、室外熱交換器２３の一方の冷媒出入口と四方弁２２のポートｂが冷媒配管４３で接続されている。また、室外熱交換器２３の他方の冷媒出入口には室外機液管４４の一端が接続されている。室外熱交換器２３は、冷媒回路１０が冷房サイクルとなる場合は凝縮器として機能し、冷媒回路１０が暖房サイクルとなる場合は蒸発器として機能する。
【００２０】
室外機液管４４の他端には、６本の室外機液分管４４ａ（図１（Ａ）では、このうち３本を描画）の各々の一端が接続され、６本の室外機液分管４４ａの各々の他端は６個の液側閉鎖弁２７に接続されている。そして、各室外機液分管４４ａには、膨張弁２４が設けられている。これら６個の膨張弁２４は、全て室外機制御手段２００によりその開度が制御される。各膨張弁２４の開度を制御することによって、各膨張弁２４に接続される６台の室内機５に流れる冷媒量が調整される。６個の膨張弁２４は、図示しないパルスモータにより駆動される電子膨張弁であり、パルスモータに与えられるパルス数によって開度が調整される。
【００２１】
アキュムレータ２５は、上述したように、冷媒流入側と四方弁２２のポートｃが冷媒配管４６で接続され、冷媒流出側と圧縮機２１の冷媒吸入口が吸入管４２で接続されている。アキュムレータ２５は、流入した冷媒をガス冷媒と液冷媒とに分離し、ガス冷媒のみを吸入管４２を介して圧縮機２１に吸入させる。
【００２２】
室外ファン２６は、室外熱交換器２３の近傍に配置される樹脂材で形成されたプロペラファンであり、図示しないファンモータによって室外ファン２６が回転することで、室外機２に設けられた図示しない吸込口から室外機２の内部に外気を取り込み、室外熱交換器２３を流れる冷媒と熱交換した外気を室外機２に設けられた図示しない吹出口から室外機２の外部へ放出する。
【００２３】
以上説明した構成の他に、室外機２には各種のセンサが設けられている。図１（Ａ）に示すように、吐出管４１には、圧縮機２１から吐出される冷媒の圧力である吐出圧力を検出する高圧センサ３１と、圧縮機２１から吐出される冷媒の温度である吐出温度を検出する吐出温度センサ３３が設けられている。冷媒配管４６におけるアキュムレータ２５の冷媒流入側近傍には、圧縮機２１に吸入される冷媒の圧力を検出する低圧センサ３２と、圧縮機２１に吸入される冷媒の温度を検出する吸入温度センサ３４が設けられている。
【００２４】
室外機液管４４における室外熱交換器２３の近傍には、室外熱交換器２３が蒸発器として機能する際に室外熱交換器２３に流入する冷媒の温度を検出する冷媒温度センサ３５が設けられている。６本の室外機液分管４４ａにおける膨張弁２４と液側閉鎖弁２７の間には、室外機液分管４４ａを流れる冷媒の温度である液側冷媒温度を検出する液側温度センサ３６（本発明の液側温度検出手段に相当。図１（Ａ）では、このうち３個を描画）が設けられている。６本の室外機ガス分管４５ａには、室外機ガス分管４５ａを流れる冷媒の温度であるガス側冷媒温度を検出するガス側温度センサ３７（図１（Ａ）では、このうち３個を描画）が設けられている。そして、室外機２の図示しない吸込口付近には、室外機２の内部に流入する外気の温度、すなわち外気温度を検出する外気温度センサ３８が設けられている。
【００２５】
また、室外機２には、室外機制御手段２００が備えられている。室外機制御手段２００は、室外機２の図示しない電装品箱に格納された制御基板に搭載されており、図１（Ｂ）に示すように、ＣＰＵ２１０と、記憶部２２０と、通信部２３０と、センサ入力部２４０とを備えている。
【００２６】
記憶部２２０は、ＲＯＭやＲＡＭで構成されており、室外機２の制御プログラムや各種センサからの検出信号に対応した検出値、圧縮機２１や室外ファン２６の駆動状態、６台の室内機５の各々から送信される運転情報（運転／停止情報や設定温度情報等を含む）等を記憶する。通信部２３０は、６台の室内機５の各々との通信を行うインターフェイスである。センサ入力部２４０は、室外機２の各種センサでの検出結果を取り込んでＣＰＵ２１０に出力する。ＣＰＵ２１０は、センサ入力部２４０を介して各種センサでの検出値を定期的（例えば、１分毎）に取り込むとともに、６台の室内機５の各々から送信される運転開始／停止を示す運転状態や運転情報（設定温度や室内温度等）を含んだ信号が通信部２３０を介して入力される。ＣＰＵ２１０は、これら入力された各種情報に基づいて、各膨張弁２４の開度制御、圧縮機２１や室外ファン２６の駆動制御を行う。
【００２７】
次に、６台の室内機５について説明する。６台の室内機５は全て同じ構成を備えており、室内熱交換器５１と、液管接続部５２と、ガス管接続部５３と、室内ファン５４を備えている。そして、室内ファン５４を除くこれら各装置が以下で詳述する各冷媒配管で相互に接続されて、冷媒回路１０の一部をなす室内機冷媒回路５０を構成している。
【００２８】
室内熱交換器５１は、冷媒と、室内ファン５４の回転により室内機５に備えられた図示しない吸込口から室内機５の内部に取り込まれた室内空気を熱交換させるものである。室内熱交換器５１の一方の冷媒出入口と液管接続部５２が室内機液管７１で接続されている。室内熱交換器５１の他方の冷媒出入口とガス管接続部５３が室内機ガス管７２で接続されている。尚、液管接続部５２やガス管接続部５３には、各冷媒配管が溶接やフレアナット等によって接続されている。
室内熱交換器５１は、室内機５が冷房運転を行う場合は蒸発器として機能し、室内機５が暖房運転を行う場合は凝縮器として機能する。
【００２９】
室内ファン５４は、室内熱交換器５１の近傍に配置される樹脂材で形成されたクロスフローファンであり、図示しないファンモータによって回転することで、図示しない吸込口から室内機５の内部に室内空気を取り込み、室内熱交換器５１において冷媒と熱交換した室内空気を室内機５に備えられた図示しない吹出口から室内へ供給する。また、室内機５の図示しない吸込口付近には、室内機５の内部に流入する室内空気の温度、すなわち室内温度を検出する室内温度センサ６１が備えられている。
【００３０】
次に、本実施形態の空気調和装置１が暖房運転を行うときの冷媒回路１０における冷媒の流れや各部の動作を、図１（Ａ）を用いて説明する。以下の説明では、６台の室内機５が全て暖房運転を行っている場合について説明する。図１（Ａ）において、矢印は、冷媒回路１０における暖房運転時の冷媒の流れを示しており、また、四方弁２２については、暖房運転時の各ポート間の連通状態を実線で示している。
【００３１】
尚、空気調和装置１が冷房運転を行うときの冷媒回路１０における冷媒の流れや各部の動作については詳細な説明を省略するが、冷房運転時は四方弁２２の各ポート間の連通状態は、図１（Ａ）に破線で示す状態となり、室外熱交換器２３が凝縮器として機能し、各室内熱交換器５１が蒸発器として機能する。
【００３２】
室内機５が暖房運転を行う場合、四方弁２２が図１（Ａ）に実線で示す状態、すなわち、四方弁２２のポートａとポートｄが連通するように、また、ポートｂとポートｃが連通するように切り換えられる。これにより、冷媒回路１０が図１（Ａ）に矢印で示す方向に冷媒が流れる状態となり、室外熱交換器２３が蒸発器として機能するとともに、各室内熱交換器５１が凝縮器として機能する。
【００３３】
上記のような冷媒回路１０の状態で圧縮機２１が起動すると、圧縮機２１から吐出された高圧の冷媒は吐出管４１から四方弁２２に流入し、四方弁２２から室外機ガス管４５を経て６本の室外機ガス分管４５ａに分流する。各室外機ガス分管４５ａから各ガス側閉鎖弁２８を介して各ガス管９に流入した冷媒は、各室内機５にガス側接続部５３を介して流入する。
【００３４】
各室内機５に流入した冷媒は、各室内機ガス管７２を流れて各室内熱交換器５１に流入し、各室内ファン５４の回転によって各室内機２の内部に取り込まれた室内空気と熱交換を行って凝縮する。各室内熱交換器５１から各室内機液管７１に流出した冷媒は、各液管接続部５２を介して各液管８に流出し、各液管８を流れて各液側閉鎖弁２７を介して室外機２に流入する。
【００３５】
室内機２に流入した冷媒は各室外機液分管４４ａを流れ、各膨張弁２４で減圧されて室外機液管４４に流出し、室外機液管４４で合流して室外熱交換器２３に流入する。室外熱交換器２３に流入した冷媒は、室外ファン２６の回転によって室外機２の内部に取り込まれた外気と熱交換を行って蒸発し、室外熱交換器２３から冷媒配管４３に流出する。冷媒配管４３を流れる冷媒は、四方弁２２、冷媒配管４６へと流れてアキュムレータ２５に流入し、アキュムレータ２５でガス冷媒と液冷媒とに分離される。アキュムレータ２５から吸入管４２へと流出したガス冷媒は、吸入管４２を流れて圧縮機２１に吸入され、再び圧縮される。
【００３６】
上記のように空気調和装置１が暖房運転を行っているとき、各膨張弁２４の開度は、圧縮機２１から吐出される冷媒温度である吐出温度を目標吐出温度とする目標吐出温度制御と、各液側温度センサ３６で検出する液側冷媒温度が同じ温度となるようにする液温度調整制御により調整される。また、液温度調整制御は、運転している室内機５（以降、運転室内機５と記載する）の液側冷媒温度が同じ温度となるようにする運転室内機液温度調整制御と、停止している室内機５（以降、停止室内機５と記載する）の液側冷媒温度が同じ温度となるようにする停止室内機液温度調整制御の２種類の制御で成り立っている。
【００３７】
以下では、まず目標吐出温度制御について説明し、次に液温度調整制御（運転室内機液温度調整制御と停止室内機液温度調整制御）について説明する。尚、以下の説明では、液側温度センサ３６で検出する液側冷媒温度をＴＬ、運転室内機５の液側冷媒温度ＴＬの最大値／最小値をそれぞれＴＬｍａｘ／ＴＬｍｉｎ、運転室内機５の液側冷媒温度ＴＬの平均値をＴＬａｖｅ、最大値ＴＬｍａｘから最小値ＴＬｍｉｎを減じて求める温度差（以降、第１温度差と記載する）をΔＴａ、運転室内機５の液側冷媒温度ＴＬから平均値ＴＬａｖｅを減じて求める温度差（以降、第２温度差と記載する）をΔＴｂとする。
【００３８】
また、高圧センサ３１で検出する圧縮機２１の吐出圧力をＨｐ、吐出圧力Ｈｐを用いて算出する高圧飽和温度（暖房運転時に凝縮器として機能する各室内機５の室内熱交換器５１における凝縮温度に相当）をＴｈｐ、高圧飽和温度Ｔｈｐから各室内機５の液側冷媒温度ＴＬを減じて求める各室内熱交換器５１の冷媒出口側における冷媒過冷却度をＳＣとする。
【００３９】
また、各膨張弁２４の開度を調整するために各膨張弁２４に加えるパルス数をＰＬＳ、運転室内機５に対応する膨張弁２４に加える初期パルス数をＰＬＳ１、停止室内機５に対応する膨張弁２４に加える初期パルス数をＰＬＳ２、運転室内機５に対応する膨張弁２４に加えられているパルス数ＰＬＳのうちの最大値／最小値をそれぞれＰＬＳｍａｘ／ＰＬＳｍｉｎとする。
＜目標吐出温度制御＞
【００４０】
目標吐出温度制御では、吐出温度センサ３３で検出した吐出温度が目標吐出温度となるように、運転室内機５に対応する膨張弁２４の開度が調整される。具体的には、まず、目標吐出温度が、凝縮器として機能している室内熱交換器５１における凝縮温度と、蒸発器として機能している室外熱交換器２３における蒸発温度と、冷媒回路１０の冷媒循環量に関係する圧縮機２１の回転数を用いて算出される。尚、凝縮温度は前述したように吐出圧力Ｈｐを用いて算出される。蒸発温度は、低圧センサ３２で検出する圧縮機２１に吸入される冷媒の圧力である吸入圧力を用いて算出される。尚、停止室内機５に対応する膨張弁２４には上述した初期パルス数ＰＬＳ２が加えられて、当該膨張弁２４の開度は初期パルス数ＰＬＳ２に対応する開度とされる。
【００４１】
そして、算出された目標吐出温度と吐出温度センサ３３で検出された吐出温度が比較され、検出された吐出温度が目標吐出温度より高い場合は、運転室内機５に対応する膨張弁２４の開度が現在の開度より一律に大きくされる。これにより、圧縮機２１に吸入される冷媒量が増加して吐出温度が低下する。尚、各膨張弁２４の開度を現在の開度より一律に大きくするときは、現在各膨張弁２４に加えられているパルス数ＰＬＳに検出した吐出温度と目標吐出温度の温度差に応じた分のパルス数を一律に加算したパルス数ＰＬＳを加える。
【００４２】
また、検出された吐出温度が目標吐出温度より低い場合は、運転室内機５に対応する膨張弁２４の開度が現在の開度より一律に小さくされる。これにより、圧縮機２１に吸入される冷媒量が減少して吐出温度が上昇する。尚、各膨張弁２４の開度を現在の開度より一律に小さくするときは、現在各膨張弁２４に加えられているパルス数ＰＬＳから検出した吐出温度と目標吐出温度の温度差に応じた分のパルス数を減算したパルス数ＰＬＳを加える。
＜液温度調整制御＞
【００４３】
液温度調整制御では、運転室内機５および停止室内機５の各液側温度センサ３６で検出した液側冷媒温度ＴＬが同じ温度となるように、各膨張弁２４の開度が調整される。
【００４４】
上述した目標吐出温度制御を行っているときは、前述したように運転室内機５に対応する各膨張弁２４の開度が一律に調整される。このとき、各室内機５の空調能力が異なる場合や、各室内機５の空調能力が同じであっても室内ファン５４の回転数が異なるつまり室内熱交換器５１での熱交換量が異なる場合は、複数の運転室内機５の間で冷媒流量に偏りが生じこれに起因して液側冷媒温度ＴＬがバラつく恐れがある。液側冷媒温度ＴＬがバラつくと、圧縮機２１に吸入される冷媒温度が変動しこれに起因して吐出温度も変動して目標吐出温度制御が不安定となる恐れがある。そこで、液温度調整制御を行って全ての液側冷媒温度ＴＬが同じ温度となるようにする。
【００４５】
液温度調整制御では、運転室内機５に対して行う運転室内機液温度調整制御と、停止室内機５に対して行う停止室内機液温度調整制御を個別に行う。以下、運転室内機液温度調整制御、停止室内機液温度調整制御の順に説明する。
＜運転室内機液温度調整制御＞
【００４６】
運転室内機液温度調整制御では、まず、運転室内機５の各液側温度センサ３６で検出した液側冷媒温度ＴＬが取り込まれ、取り込まれた各液側冷媒温度ＴＬから最大値ＴＬｍａｘと最小値ＴＬｍｉｎが抽出される。そして、抽出された最大値ＴＬｍａｘと最小値ＴＬｍｉｎの差分として第１温度差ΔＴａが算出され、この第１温度差ΔＴａの値に応じて各運転室内機５に対応する膨張弁２４の開度が調整される。
【００４７】
具体的には、最大値ＰＬＳｍａｘが加えられている膨張弁２４に対し、最大値ＰＬＳｍａｘから第１温度差ΔＴａに応じた値を減じたパルス数が当該膨張弁２４に加えられて、当該膨張弁２４の開度が小さくなる。一方、最小値ＰＬＳｍｉｎが加えられている膨張弁２４に対し、最小値ＰＬＳｍｉｎに上記最大値ＰＬＳｍａｘから減じた値と同じ値を加えたパルス数が当該膨張弁２４に加えられて、当該膨張弁２４の開度が大きくなる。
【００４８】
運転室内機液温度調整制御では、以上説明した膨張弁２４の開度調整を定期的（例えば、１分毎）に行うことにより、各運転室内機５における冷媒流量が各運転室内機５の能力に応じたものとなり、各液側温度センサ３６で検出した液側冷媒温度ＴＬが同じ値となる。
＜停止室内機液温度調整制御＞
【００４９】
停止室内機液温度調整制御では、運転室内機液温度調整制御において運転室内機５の各液側温度センサ３６で検出した液側冷媒温度ＴＬに加えて、停止室内機５の各液側温度センサ３６で検出した液側冷媒温度ＴＬが取り込まれ、取り込まれた液側冷媒温度ＴＬから運転室内機５の各液側冷媒温度ＴＬが抽出される。次に、各運転室内機５の液側冷媒温度ＴＬの平均値ＴＬａｖｅが求められ、各停止室内機５の液側冷媒温度ＴＬから平均値ＴＬａｖｅを減じて第２温度差ΔＴｂが求められる。
【００５０】
そして、求められた第２温度差ΔＴｂの値に応じて各停止室内機５に対応する膨張弁２４の開度が調整される。具体的には、各停止室内機５に対応する膨張弁２４に加えるパルス数ＰＬＳを、前述した初期パルス数ＰＬＳ２（本実施形態では、２５パルス）を含む所定の範囲（本実施形態では、１５パルス〜１００パルス）の間で第２温度差ΔＴｂの値に応じて増減する。まず、第２温度差ΔＴｂの値が所定の第１閾温度差（本実施形態では、８℃）以上であれば、現在膨張弁２４に加えられているパルス数ＰＬＳから第２温度差ΔＴｂの値に応じた値を減じたパルス数が当該膨張弁２４に加えられて、当該膨張弁２４の開度が小さくなる。これにより、各停止室内機５を流れる冷媒量が減少するので、液側冷媒温度ＴＬが低くなって平均値ＴＬａｖｅに近づく。
【００５１】
一方、第２温度差ΔＴｂの値が上述した第１閾温度差より低い所定の第２閾温度差（例えば、２℃）未満であれば、現在膨張弁２４に加えられているパルス数ＰＬＳから第２温度差ΔＴｂの値に応じた値を加えたパルス数が当該膨張弁２４に加えられて、当該膨張弁２４の開度が大きくなる。これにより、各停止室内機５を流れる冷媒量が増加するので、液側冷媒温度ＴＬが高くなって平均値ＴＬａｖｅに近づく。
【００５２】
ところで、上述した停止室内機液温度調整制御を行っているときに、例えば、停止室内機５のうちのいくつかが起動した場合のように、暖房負荷が急激に上昇すれば冷媒回路１０における冷媒循環量が過渡的に不足する恐れがある。そして、冷媒循環量が過渡的に不足しているときは、運転室内機５および停止室内機５の室内熱交換器５１における凝縮圧力が過渡的に低下しこれに起因して運転室内機５および停止室内機５の室内熱交換器の冷媒出口側における冷媒過冷却度が小さくなる。このときに、停止室内機液温度調整制御により停止室内機５に対応する膨張弁２４の開度を大きくすれば、気液二相状態の冷媒が停止室内機５を流れて冷媒流動音が目立って使用者に不快感を与える恐れがあった。
【００５３】
そこで、停止室内機液温度調整制御で膨張弁２４の開度を大きくする場合は、停止室内機５の冷媒過冷却度ＳＣを算出し、この冷媒過冷却度ＳＣが所定の閾冷媒過冷却度（例えば、３ｄｅｇ）より小さい値であれば、膨張弁２４の開度を大きくしないようにする。これにより、冷媒が気液二相状態で流れる恐れがある場合に停止室内機５を流れる冷媒量が増加することがない。
【００５４】
次に、本実施形態の空気調和装置１に関わる処理について、図２乃至図４を用いて説明する。図２は、室外機制御手段２００のＣＰＵ２１０が行う処理のメインルーチンを示すフロ−チャートであり、暖房運転を行う際にＣＰＵ２１０が実行する処理の流れを示す。図３は、ＣＰＵ２１０が行う処理のサブルーチンを示すフローチャートであり、ＣＰＵ２１０が運転室内機液温度調整制御を行う際に実行する処理の流れを示す。また、図４は、ＣＰＵ２１０が行う処理のサブルーチンを示すフローチャートであり、ＣＰＵ２１０が停止室内機液温度調整制御を行う際に実行する処理の流れを示す。
【００５５】
図２乃至図４に示すフローチャートにおいて、ＳＴは処理のステップを表し、これに続く数字はステップ番号を表している。尚、図２乃至図４は、本発明に関わる処理を中心に説明しており、これ以外の処理、例えば、暖房運転時に使用者が指示した設定温度や風量等の運転条件に応じた制御といった、空気調和装置１に関わる一般的な処理については説明を省略する。
【００５６】
まず、図２を用いて、ＣＰＵ２１０が空気調和装置１で暖房運転を行う場合の処理の流れについて説明する。使用者が各室内機５の図示しないリモコン等を操作して運転開始を指示すると、ＣＰＵ２１０は、使用者の指示した運転が暖房運転であるか否かを判断する（ＳＴ１）。使用者の指示した運転が暖房運転であれば（ＳＴ１−Ｙｅｓ）、ＣＰＵ２１０は、暖房運転開始処理を実行する（ＳＴ２）。ここで、暖房運転開始処理とは、ＣＰＵ２１０が四方弁２２の各ポートを図１（Ａ）に実線で示す接続となるよう切り換えて、冷媒回路１０を暖房サイクルとすることである。
【００５７】
暖房運転開始処理を終えたＣＰＵ２１０は、圧縮機２１および室外ファン２６を駆動する（ＳＴ３）。具体的には、ＣＰＵ２１０は、各室内機５から要求された暖房能力に応じた回転数で圧縮機２１の駆動制御を行うとともに、室外ファン２６が圧縮機２１の回転数に応じた回転数となるように駆動制御する。
【００５８】
次に、ＣＰＵ２１０は、目標吐出温度制御を実行する（ＳＴ４）。具体的には、ＣＰＵ２１０は、まず高圧センサ３１で検出した吐出圧力Ｈｐと低圧センサ３２で検出した吸入圧力をセンサ入力部２４０を介して取り込みこれらを用いて凝縮温度と蒸発温度を求める。次に、ＣＰＵ２１０は、求めた凝縮温度および蒸発温度と、圧縮機２１の回転数を用いて目標吐出温度を算出する。そして、ＣＰＵ２１０は、吐出温度センサ３３で検出した吐出温度をセンサ入力部２４０を介して取り込み、取り込んだ吐出温度が目標吐出温度となるように、運転室内機５に対応する膨張弁２４の開度を調整する。尚、ＣＰＵ２１０は、暖房運転開始時は運転室内機５に対応する膨張弁２４に前述した初期パルス数ＰＬＳ１を加えて、運転室内機５に対応する膨張弁２４の開度を初期パルス数ＰＬＳ１に対応する開度とする。この初期パルス数ＰＬＳ１は、停止室内機５に加える初期パルス数ＰＬＳ２より大きい所定の値（例えば、８０パルス）を下限として各室内機５の空調能力と外気温度によって選択されるものであり、図示は省略するが各室内機５には外気温度に対応させて初期パルス数ＰＬＳ１を定めたテーブルが記憶されている。
【００５９】
次に、ＣＰＵ２１０は、サブルーチンである運転室内機液温度調整制御を実行し（ＳＴ５）、これに続いてサブルーチンである停止室内機液温度調整制御を実行して（ＳＴ６）、ＳＴ７に処理を進める。
【００６０】
ＳＴ７において、ＣＰＵ２１０は、使用者による運転モード切替指示があるか否かを判断する。ここで、運転モード切替指示とは、現在の運転（ここでは暖房運転）から別の運転（冷房運転あるいは除湿運転）への切替を指示するものである。運転モード切替指示がある場合は（ＳＴ７−Ｙｅｓ）、ＣＰＵ２１０は、ＳＴ１に処理を戻す。運転モード切替指示がない場合は（ＳＴ７−Ｎｏ）、ＣＰＵ２１０は、使用者による運転停止指示があるか否かを判断する（ＳＴ８）。運転停止指示とは、全ての室内機５が運転を停止することを指示すものである。
【００６１】
運転停止指示があれば（ＳＴ８−Ｙｅｓ）、ＣＰＵ２１０は、運転停止処理を実行し（ＳＴ９）、処理を終了する。運転停止処理では、ＣＰＵ２１０は、圧縮機２１や室外ファン２６を停止するとともに各膨張弁２４を全閉とする。また、ＣＰＵ２１０は、室内機５ａ〜５ｃに対し通信部２３０を介して運転を停止する旨の運転停止信号を送信する。運転停止信号を受信した各室内機５は、室内ファン５４を停止する。
【００６２】
ＳＴ８において運転停止指示がなければ（ＳＴ８−Ｎｏ）、ＣＰＵ２１０は、現在の運転が暖房運転であるか否かを判断する（ＳＴ１２）。現在の運転が暖房運転であれば（ＳＴ１２−Ｙｅｓ）、ＣＰＵ２１０は、ＳＴ３に処理を戻す。現在の運転が暖房運転でなければ（ＳＴ１２−Ｎｏ）、つまり、現在の運転が冷房運転もしくは除湿運転であれば、ＣＰＵ２１０は、ＳＴ１１に処理を戻す。
【００６３】
尚、ＳＴ１において使用者の指示した運転が暖房運転でなければ（ＳＴ１−Ｎｏ）、ＣＰＵ２１０は、冷房運転もしくは除湿運転の開始処理である冷房／除湿運転開始処理を実行する（ＳＴ１０）。ここで、冷房／除湿運転開始処理とは、ＣＰＵ２１０が四方弁２２を操作して冷媒回路１００を冷房サイクルとすることであり、最初に冷房運転もしくは除湿運転を行うときに行われる処理である。そして、ＣＰＵ２１０は、圧縮機２１や室外ファン２７を所定の回転数で駆動するとともに、各膨張弁２４を全開とし、また、通信部２３０を介して各室内機５に対し室内ファン５４の駆動制御を行うよう指示して冷房運転あるいは除湿運転の制御を開始し（ＳＴ１１）、ＳＴ７に処理を進める。
【００６４】
次に、図３を用いて、本実施形態の一方のサブルーチンである運転室内機液温度調整制御を行う際の処理の流れについて説明する。
【００６５】
まず、ＣＰＵ２１０は、各室内機５の液側冷媒温度ＴＬを通信部２３０を介して取り込み（ＳＴ２１）、取り込んだ液側冷媒温度ＴＬのうちの運転室内機５の液側冷媒温度ＴＬから最大値ＴＬｍａｘと最小値ＴＬｍｉｎを抽出し最大値ＴＬｍａｘから最小値ＴＬｍｉｎを減じて第１温度差ΔＴａを算出する（ＳＴ２２）。
【００６６】
次に、ＣＰＵ２１０は、算出した第１温度差ΔＴａが６℃以上であるか否かを判断する（ＳＴ２３）。第１温度差ΔＴａが６℃以上である場合は（ＳＴ２３−Ｙｅｓ）、ＣＰＵ２１０は、現在運転室内機５に対応する膨張弁２４に加えているパルス数ＰＬＳのうち最大値ＰＬＳｍａｘを加えている膨張弁２４に対し、最大値ＰＬＳｍａｘから４パルス減じたパルス数を当該膨張弁２４に加えるとともに、最小値ＰＬＳｍｉｎを加えている膨張弁２４に対し、最小値ＰＬＳｍｉｎに４パルス加えたパルス数を当該膨張弁２４に加え（ＳＴ２４）、処理を終了する。
【００６７】
ＳＴ２３において第１温度差ΔＴａが６℃以上でない場合は（ＳＴ２３−Ｎｏ）、ＣＰＵ２１０は、第１温度差ΔＴａが４℃以上６℃未満であるか否かを判断する（ＳＴ２５）。第１温度差ΔＴａが４℃以上６℃未満である場合は（ＳＴ２５−Ｙｅｓ）、ＣＰＵ２１０は、現在運転室内機５に対応する膨張弁２４に加えているパルス数ＰＬＳのうち最大値ＰＬＳｍａｘを加えている膨張弁２４に対し、最大値ＰＬＳｍａｘから２パルス減じたパルス数を当該膨張弁２４に加えるとともに、最小値ＰＬＳｍｉｎを加えている膨張弁２４に対し、最小値ＰＬＳｍｉｎに２パルス加えたパルス数を当該膨張弁２４に加え（ＳＴ２６）、処理を終了する。
【００６８】
ＳＴ２５において第１温度差ΔＴａが４℃以上６℃未満でない場合は（ＳＴ２５−Ｎｏ）、ＣＰＵ２１０は、第１温度差ΔＴａが２℃以上４℃未満であるか否かを判断する（ＳＴ２７）。第１温度差ΔＴａが２℃以上４℃未満である場合は（ＳＴ２７−Ｙｅｓ）、ＣＰＵ２１０は、現在運転室内機５に対応する膨張弁２４に加えているパルス数ＰＬＳのうち最大値ＰＬＳｍａｘを加えている膨張弁２４に対し、最大値ＰＬＳｍａｘから１パルス減じたパルス数を当該膨張弁２４に加えるとともに、最小値ＰＬＳｍｉｎを加えている膨張弁２４に対し、最小値ＰＬＳｍｉｎに１パルス加えたパルス数を当該膨張弁２４に加え（ＳＴ２８）、処理を終了する。また、ＳＴ２７において、第１温度差ΔＴａが２℃以上４℃未満でない場合は（ＳＴ２７−Ｎｏ）、ＣＰＵ２１０は、各膨張弁２４の開度は変えずに処理を終了する。
【００６９】
次に、図４を用いて、本実施形態のもう一方のサブルーチンである停止室内機液温度調整制御を行う際の処理の流れについて説明する。尚、本実施形態では、停止室内機液温度調整制御を行う際の停止室内機５に対応する膨張弁２４の開度は、当該膨張弁２４に加えるパルス数ＰＬＳの最小値：１５パルスに相当する開度から最大値：１００パルスに相当する開度までの間で調整されるものとする。
【００７０】
まず、ＣＰＵ２１０は、停止室内機５があるか否かを判断する（ＳＴ４０）。停止室内機５がなければ（ＳＴ４０−Ｙｅｓ）、ＣＰＵ２１０は、停止室内機液温度調整制御を行わず処理を終了する。停止室内機５があれば（ＳＴ４０−Ｎｏ）、ＣＰＵ２１０は、記憶部２２０に記憶しているフラグＦを読み出し、読み出したフラグＦが０であるか否かを判断する（ＳＴ４１）。
【００７１】
このフラグＦは、これから行う停止室内機液温度調整制御が、暖房運転開始後に初めて行うのか否かを判断するためのものであり、フラグＦが０であれば暖房運転開始後に初めて停止室内機液温度調整制御を実行することを示し、フラグＦが１であれば既に停止室内機液温度調整制御を実行していることを示すものである。尚、フラグＦは、停止室内機５がなくなるつまり全ての室内機５が運転すればＣＰＵ２１０によってリセットされる（０とされる）。
【００７２】
ＳＴ４１においてフラグＦが０でなければ（ＳＴ４１−Ｎｏ）、ＣＰＵ２１０は、ＳＴ４３に処理を進める。フラグＦが０であれば（ＳＴ４１−Ｙｅｓ）、ＣＰＵ２１０は、停止室内機５に対応する膨張弁２４に初期パルス数ＰＬＳ２を加えて（ＳＴ４２）各膨張弁２４を暖房運転停止時の初期開度として、ＳＴ４３に処理を進める。尚、停止室内機５に加える初期パルス数ＰＬＳ２は、前述した運転室内機５に加える初期パルス数ＰＬＳ１より小さい値であり、例えば、２５パルスである。
【００７３】
次に、ＣＰＵ２１０は、各室内機５の液側冷媒温度ＴＬを通信部２３０を介して取り込み（ＳＴ４３）、取り込んだ液側冷媒温度ＴＬのうちの運転室内機５の液側冷媒温度ＴＬを用いてこれの平均値ＴＬａｖｅを求め、停止室内機５の液側冷媒温度ＴＬから平均値ＴＬａｖｅを減じて第２温度差ΔＴｂを算出する（ＳＴ４４）。
【００７４】
次に、ＣＰＵ２１０は、算出した第２温度差ΔＴｂが１５℃以上であるか否かを判断する（ＳＴ４５）。第２温度差ΔＴｂが１５℃以上である場合は（ＳＴ４５−Ｙｅｓ）、ＣＰＵ２１０は、現在停止室内機５の膨張弁２４に加えているパルス数ＰＬＳから３パルス減じ（ＳＴ４６）、ＳＴ４９に処理を進める。
【００７５】
ＳＴ４５において第２温度差ΔＴｂが１５℃以上でない場合は（ＳＴ４５−Ｎｏ）、ＣＰＵ２１０は、第２温度差ΔＴｂが８℃（前述した第１閾温度差）以上１５℃未満であるか否かを判断する（ＳＴ４７）。第２温度差ΔＴｂが８℃以上１５℃未満である場合は（ＳＴ４７−Ｙｅｓ）、ＣＰＵ２１０は、現在停止室内機５の膨張弁２４に加えているパルス数ＰＬＳから１パルス減じ（ＳＴ４８）、ＳＴ４９に処理を進める。
【００７６】
ＳＴ４９において、ＣＰＵ２１０は、ＳＴ４６やＳＴ４８の処理で求めたパルス数ＰＬＳが、停止室内機５に加えるパルス数ＰＬＳの最小値である１５パルス未満であるか否かを判断する。求めたパルス数ＰＬＳが１５パルス未満であれば（ＳＴ４９−Ｙｅｓ）、ＣＰＵ２１０は、停止室内機５に対応する膨張弁２４に１５パルスを加えて（ＳＴ５０）、ＳＴ６３に処理を進める。求めたパルス数ＰＬＳが１５パルス未満でなければ（ＳＴ４９−Ｎｏ）、ＣＰＵ２１０は、ＳＴ４６あるいはＳＴ４８で求めたパルス数ＰＬＳを停止室内機５に対応する膨張弁２４に加えて（ＳＴ５１）、ＳＴ６３に処理を進める。
【００７７】
一方、ＳＴ４７において、第２温度差ΔＴｂが８℃以上１５℃未満でない場合は（ＳＴ４７−Ｎｏ）、ＣＰＵ２１０は、高圧センサ３１で検出した吐出圧力Ｈｐをセンサ入力部２４０を介して取り込み、取り込んだ吐出圧力Ｈｐを用いて高圧飽和温度Ｔｈｐを算出し（ＳＴ５２）、算出した高圧飽和温度ＴｈｐからＳＴ４３で取り込んだ液側冷媒温度ＴＬを減じて停止室内機５における冷媒過冷却度ＳＣを算出する（ＳＴ５３）。
【００７８】
次に、ＣＰＵ２１０は、ＳＴ４４で算出した第２温度差ΔＴｂが０℃未満であるか否かを判断する（ＳＴ５４）。第２温度差ΔＴｂが０℃未満でない場合は（ＳＴ５４−Ｎｏ）、ＣＰＵ２１０は、ＳＴ５７に処理を進める。第２温度差ΔＴｂが０℃未満である場合は（ＳＴ５４−Ｙｅｓ）、ＣＰＵ２１０は、ＳＴ５３で算出した冷媒過冷却度ＳＣが３ｄｅｇ未満であるか否かを判断する（ＳＴ５５）。
【００７９】
冷媒過冷却度ＳＣが３ｄｅｇ未満である場合は（ＳＴ５５−Ｙｅｓ）、ＣＰＵ２１０は、ＳＴ６３に処理を進める。冷媒過冷却度ＳＣが３ｄｅｇ未満でない場合は（ＳＴ５５−Ｎｏ）、ＣＰＵ２１０は、現在停止室内機５の膨張弁２４に加えているパルス数ＰＬＳに３パルス加え（ＳＴ５６）、ＳＴ６０に処理を進める。
【００８０】
ＳＴ５７において、ＣＰＵ２１０は、第２温度差ΔＴｂが０℃以上２℃（前述した第２閾温度差）未満であるか否かを判断する（ＳＴ５７）。第２温度差ΔＴｂが０℃以上２℃未満でない場合は（ＳＴ５７−Ｎｏ）、ＣＰＵ２１０は、ＳＴ６３に処理を進める。第２温度差ΔＴｂが０℃以上２℃未満である場合は（ＳＴ５７−Ｙｅｓ）、ＣＰＵ２１０は、ＳＴ５３で算出した冷媒過冷却度ＳＣが３ｄｅｇ未満であるか否かを判断する（ＳＴ５８）。
【００８１】
冷媒過冷却度ＳＣが３ｄｅｇ未満である場合は（ＳＴ５８−Ｙｅｓ）、ＣＰＵ２１０は、ＳＴ６３に処理を進める。冷媒過冷却度ＳＣが３ｄｅｇ未満でない場合は（ＳＴ５８−Ｎｏ）、ＣＰＵ２１０は、現在停止室内機５の膨張弁２４に加えているパルス数ＰＬＳに１パルス加え（ＳＴ５９）、ＳＴ６０に処理を進める。
【００８２】
ＳＴ６０において、ＣＰＵ２１０は、ＳＴ５６やＳＴ５９の処理で求めたパルス数ＰＬＳが、停止室内機５に加えるパルス数ＰＬＳの最大値である１００パルスより大きいか否かを判断する。求めたパルス数ＰＬＳが１００パルスより大きい場合は（ＳＴ６０−Ｙｅｓ）、ＣＰＵ２１０は、停止室内機５に対応する膨張弁２４に１００パルスを加えて（ＳＴ６１）、ＳＴ６３に処理を進める。求めたパルス数ＰＬＳが１００パルス以下であれば（ＳＴ６０−Ｎｏ）、ＣＰＵ２１０は、ＳＴ５６あるいはＳＴ５９で求めたパルス数ＰＬＳを停止室内機５に対応する膨張弁２４に加えて（ＳＴ６２）、ＳＴ６３に処理を進める。
【００８３】
ＳＴ６３では、ＣＰＵ２１０はフラグＦを１として記憶部２２０に記憶し、停止室内機液温度調整制御を終了する。
【００８４】
以上説明した実施形態において、図３に示す運転室内機液温度調整制御のフローチャートのＳＴ２３、ＳＴ２５およびＳＴ２７で第１温度差ΔＴａの大きさの判断に使用した各温度差やＳＴ２４、ＳＴ２６およびＳＴ２８で増減したパルス数と、図４に示す停止室内機液温度調整制御のフローチャートのＳＴ４５、ＳＴ４７、ＳＴ５４およびＳＴ５７で第２温度差ΔＴｂの大きさの判断に使用した各温度差やＳＴ４６、ＳＴ４８、ＳＴ５６およびＳＴ５９で増減したパルス数や停止室内機５に対応する膨張弁２４に加えるパルスＰＬＳの最小値および最大値は、本実施形態に固有の数値でありこれらは予め試験等を行って求められたものである。従って、上記各数値は、空気調和装置１の構成（接続される室内機５の台数やその能力、冷媒回路１０の配管長等）により適宜別の数値が選択可能である。
【符号の説明】
【００８５】
１  空気調和装置
２  室外機
５  室内機
２１  圧縮機
２２  四方弁
２３  室外熱交換器
２４  膨張弁
５１  室内熱交換器
２００  室外機制御部
２１０  ＣＰＵ
２２０  記憶部
２４０  センサ入力部
ＴＬ  液側冷媒温度
ＴＬｍａｘ  運転室内機の液側冷媒温度の最大値
ＴＬｍｉｎ  運転室内機の液側冷媒温度の最小値
ＴＬａｖｅ  運転室内機の液側冷媒温度の平均値
ΔＴａ  第１温度差
ΔＴｂ  第２温度差
Ｔｈｐ  高圧飽和温度
Ｈｐ  吐出圧力
ＰＬＳ  膨張弁に加えるパルス数
ＰＬＳ１  運転室内機の膨張弁に加える初期パルス数
ＰＬＳ２  停止室内機の膨張弁に加える初期パルス数
ＰＬＳｍａｘ  運転室内機の膨張弁に加えるパルス数の最大値
ＰＬＳｍｉｎ  運転室内機の膨張弁に加えるパルス数の最小値
【図１】
0006699216.tif 000002
【図２】
0006699216.tif 000003
【図３】
0006699216.tif 000004
【図４】
0006699216.tif 000005